(57)【要約】【課題】大型の液晶パネルとレンズシート、拡散板等の光学部材の積層体を効果的に支持することができ、また表示への影響の少ない支持手段を持つランプハウスを備えた液晶表示装置を提供する。【解決手段】ランプハウス１１と、該ランプハウスの上部に配置された拡散板１４およびレンズシート１５〜１７等の光学部材と、該光学部材の上部に配置された液晶パネルＬとからなる液晶表示装置であって、ランプハウス１１は、内部に並列配置した複数の線状の蛍光ランプ１２と、該蛍光ランプに沿って所定の位置に形成した透明な素材からなる桟１３を備え、桟１３は、ランプハウスの底部から前記光学部材の面に至る高さを有するようになし、桟１３により拡散板、レンズシート等の光学部材と液晶パネル等の積層体を支持する。【選択図】      図１
2004233827.tif 000002
【特許請求の範囲】
【請求項１】
ランプハウスと、該ランプハウスの上部に配置された光学部材および該光学部材の上部に配置された液晶パネルの積層体とからなる液晶表示装置であって、
前記ランプハウスは、内部に並列配置した複数の線状の蛍光ランプと、該蛍光ランプに沿って所定の位置に形成した透明な素材からなる桟を備え、
前記桟は、ランプハウスの底部から前記光学部材の面に至る高さを有することを特徴とする液晶表示装置。
【請求項２】
前記桟は、その断面において、ランプハウスの底部側の幅に対して前記光学部材側の幅が小さくされた略台形形状を有することを特徴とする請求項１に記載の液晶表示装置。
【請求項３】
前記桟は、その底部を前記ランプハウスの底部に接着材あるいはビスで固定し、上面は透明接着材あるいは透光性を有する両面接着テープで前記光学部材を固定したことを特徴とする請求項２に記載の液晶表示装置。
【請求項４】
前記桟は、アクリル素材によって構成されたことを特徴とする請求項１に記載の液晶表示装置。
【発明の詳細な説明】
【０００１】
【発明の属する技術分野】
本発明は、液晶表示装置に関するものであり、特に、バックライトを構成するランプハウス内に蛍光ランプと平行に、桟を設けて、ランプハウス上部に配置される拡散板やレンズシート等の光学部材と液晶パネルの積層体を支持するようになした液晶表示装置に関する。
【０００２】
【従来の技術】
近年、ＯＡ機器に用いられる表示装置は、軽量化、薄型化、低消費電力化、高精細化および画面の大型化が要求されている。一般家庭においても、より一層の臨場感が体験できる大画面のテレビジョンへの要求は強いが、従来のＣＲＴは大画面化に伴い容積、重量が増大するため、薄型軽量化可能な大面積のフラットパネルディスプレイの実用化が強く望まれている。
【０００３】
このため、液晶表示装置（ＬＣＤ）、プラズマ表示装置（ＰＤＰ）、ＥＬ（ｅｌｅｃｔｒｏ  ｌｕｍｉｎｅｓｃｅｎｔ）表示装置、ＬＥＤ（ｌｉｇｈｔ  ｅｍｉｔｔｉｎｇ  ｄｉｓｐｌａｙ）等の表示装置においても大画面化の開発・実用化が進められている。なかでも液晶表示装置は、他の表示装置に比べ、厚さ（奥行き）が格段に薄くできること、消費電力が小さいこと、フルカラー化が容易なこと等の利点を有するので、近年においては種々の分野で用いられつつあり、画面の大型化への期待も大きい。
【０００４】
一般に大型の液晶表示装置は、複数本の蛍光ランプをランプハウス内に配設した照明用のバックライトユニットを液晶パネルの直下に設置する、いわゆる直下型と称される構造を採用している。一般に、かかる直下型の液晶表示装置は、蛍光ランプの形状が液晶パネルを通して視認されないように、また、蛍光ランプの光が有効に液晶パネルを照射するように、リフレクタ等を設けたランプハウスに蛍光ランプを収容し、該ランプハウスの上部に拡散板やレンズシート等の光学部材を配置して、その上に液晶パネルを設置した構造とされる。
【０００５】
このような直下型の液晶表示装置において、液晶パネルが大型化すれば当然にその重量が増すため、ランプハウスの強度を保ち、かつ、液晶パネルとバックライトユニットの間に設置される拡散板やレンズシート等の光学部材（以下、光学部材と称する）の撓みや変形を防止する必要があるために、例えばランプハウスの上部に補強板を設け、あるいは、ランプハウスに支柱を設けていた。
【０００６】
例えば、本出願人により既に出願された特願２００２−０９１２３９号（以下、「先願１」と称する）には、ランプハウスの上部に補強板を設けた構造が提案されている。図４は、上記先願１の液晶表示装置を示す断面図であり、補強板４５の上部に光学部材積層体４３を介して液晶パネルＬを配置し、補強板４５の下部に、多数整列された蛍光ランプ等の光源４２を配設し、液晶パネルＬに光源４２からの光を照射する開口を有するランプハウス（ケース）４１を配置した構造である。液晶パネルＬ、光学部材積層体４３、補強板４５、ランプハウス４１等の構成部品はシャーシー４４により保持され、ランプハウス４１には裏蓋４６が設けられている。
【０００７】
また、下記の特許文献１には、ランプハウスに支柱を設けた液晶表示装置が開示されている。図５、図６はこの特許文献１に開示された液晶表示装置の構造を示す斜視図および断面図であり、複数の円筒状光源５２を配設したランプハウス５１の底部に複数本のスペーサピン５３を形成し、ランプハウス５１の上部に配置される光学部材５４を支持する構成としたものである。
【０００８】
更に、本出願人により既に出願された特願２００２−１６５０３１号（以下、「先願２」と称する）には、ランプハウスに支柱を設けた液晶表示装置において、光学部材の撓み量が略等しくなる箇所に支柱を配設することにより、少ない支柱の数で効果的に前記拡散板等の撓み、変形を防止するようになした液晶表示装置が提案されている。
【０００９】
図７は上記先願２の液晶表示装置を示す斜視図であり、複数の蛍光ランプ等の光源７２とリフレクタ７５を配設したランプハウス７１の底部に複数のピン状の支持突起７３を形成し、ランプハウス７１の上部に配設される光学部材と液晶パネル等の積層体Ｌ（フレーム７４により保持される）を支持する構成とし、支持突起７３は、ランプハウス７１の対角線上で、かつ、該対角線を略３等分する位置に形成したものである。
【００１０】
【特許文献１】
特開平１０−３２６５１７号公報
【００１１】
【発明が解決しようとする課題】
しかしながら、前記特許文献１あるいは先願１および先願２の何れの液晶表示装置においても、液晶パネルの大型化が更に進んだ場合、より重量が増大し、また当然光学シートも大きくなりシートの重量も増大する。そして液晶表示装置の補強や光学シートの支持のために、拡散板を補強板としての機能を持たせるために厚くしたり、補強板が必要になったり、補強板を用いるとしてもより強度を増したものが必要になったり、支持突起の数を多くするなどの対応が必要となる。このため、ランプハウスの構造がより複雑となり、また液晶表示装置全体が更に大型になり、かつ、重量が重くなるという問題点があった。
【００１２】
本願の発明者等は前記の問題点を解消すべく種々検討を行った結果、線状光源に沿った透明な桟をランプハウス内に複数配置することによって液晶パネルと光学部材からなる大型の積層体を少ない部材で効果的に支持することができ、また、液晶パネル側の桟の幅を桟の底部に比して小さくすることによって桟が表示にあまり影響しないようにすることができることを見出し、本発明を完成するに至ったものである。
【００１３】
すなわち、本発明は上記の問題点を解決することを課題とし、大型の液晶パネルと光学部材の積層体を少ない支持部材で効果的に支持することができ、また表示への影響が少ない支持部材を持つランプハウスを備えた液晶表示装置を提供することを目的とする。
【００１４】
【課題を解決するための手段】
本発明の上記目的は以下の構成により達成することができる。すなわち、本発明にかかる液晶表示装置は、ランプハウスと、該ランプハウスの上部に配置された光学部材と、該光学部材の上部に配置された液晶パネルとからなる液晶表示装置であって、
前記ランプハウスは、内部に並列配置した複数の線状の蛍光ランプと、該蛍光ランプに沿って所定の位置に形成した透明な素材からなる桟を備え、
前記桟は、ランプハウスの底部から前記光学部材の面に至る高さを有することを特徴とする。
【００１５】
かかる構成によれば、支持突起を形成するものに比較して、液晶パネル、レンズシート、拡散板等からなる大型の積層体を少ない支持部材で効果的に支持することができ、液晶表示装置の構造を簡素化することができる。
【００１６】
前記桟は、その断面において、ランプハウスの底部側の幅に対して前記光学部材側の幅が小さくされた略台形形状を有することを特徴とする。かかる構成によれば、桟が表示に影響しないようになすことができる。
【００１７】
そして、前記桟は、その底部を前記ランプハウスの底部に接着材あるいはビスで固定し、上面は透明接着材あるいは透光性を有する両面接着テープで前記光学部材を固定することが好ましく、また、桟は、アクリル素材によって構成されることが好ましい。
【００１８】
以下、本発明にかかる液晶表示装置について、添付図面を参照して詳細に説明する。
【００１９】
【発明の実施の形態】
図１は、本発明にかかる液晶表示装置の構成を示す分解斜視図、図２は図１の液晶表示装置を組み立てた状態における断面図、図３は本発明にかかる桟の断面図を示し、（ａ）は断面形状の一例を示す図、（ｂ）は断面形状の他の例を示す図である。
【００２０】
図１、および、図２において、液晶表示装置１０は、ランプハウス１１と、該ランプハウス１１の上部に配置された拡散板１４およびレンズシート１５〜１７等の光学部材Ｓと、この光学部材Ｓの上部に配置された液晶パネルＬとの積層体から構成されている。ランプハウス１１は内壁が白色をしており、光源の光を液晶パネルＬ側へ効率よく反射するように、例えば底面に傾斜を設けたりしている。またランプハウス１１の内部には並列配置した複数の線状の蛍光ランプ１２と、該蛍光ランプ１２に沿って所定の位置に形成した複数本の透明な素材からなる桟１３を備えている。桟１３の本数は液晶パネルＬのサイズ、蛍光ランプ１２の本数、設置位置等は光学部材Ｓの重量等によりそれぞれ適切な数を選べばよいが、桟１３と桟１３との間に蛍光ランプ１２が７本から１１本配置されている程度が好ましい。実施例においては２１インチの液晶パネルＬに蛍光ランプ１２を１７本用いたものを示しており、このとき桟１３を２つ用いている。また桟１３の間に蛍光ランプ１２を９本配置している。
【００２１】
拡散板１４は、例えば光拡散剤（フィラ）を混入した乳白色の２ｍｍ厚程度のアクリル板からなるものである。また図示していないが、拡散板１４の下に補強板が配置されていてもよい。この補強板は、拡散板と略同じ大きさで例えば８ｍｍ厚程度の透明なアクリル板からなる。
【００２２】
桟１３は、蛍光ランプ１２と平行して設けられ、ランプハウス１１の全長にわたる長さを有しており、また、ランプハウス１１の底部から前記拡散板１４およびレンズシート１５〜１７の面に至る高さを有している。この桟１３はアクリル素材等の透明な素材により構成され、その断面は図３に示す形状を有している。
【００２３】
すなわち、桟１３は図３（ａ）に一例を示すように、断面が台形状をしており上部、すなわち、拡散板１４およびレンズシート１５〜１７を支持する側の幅は、その下部、すなわち、ランプハウス１１の底部側の幅より小さく（狭く）されている。例えば、桟１３の上部の幅は１．０ｍｍないし１．５ｍｍであり、桟１３の上部の面と辺のなす角度は９５°である。このような断面形状にすることにより、液晶パネルＬ側より液晶パネルＬに表示される画面を観察した時に、桟１３の影が表示に濃淡として現れ難くすることができ、桟１３が透明素材からなることと相まって、桟１３の形状が観察され難く、表示への影響を最小限に抑えることができる。
【００２４】
このような構成にすることによって、光学部材Ｓの十分な支持が可能となり、撓み等による光学部材Ｓの変形を効果的に防止することができる。また桟１３により光学部材Ｓを効果的に支持することができるので、拡散板１４の下にたとえ補強板を配置したとしても、補強板に従来ほどの強度は要求されないので、補強板を薄くすることができ、液晶表示装置の重量の軽減を図ることができる。
【００２５】
また、桟１３の断面形状の他の例は図３（ｂ）に示すように、下部断面が長方形をなし、その上部が台形をなすものであってもよい。この場合も、（ａ）に示す場合と同様、桟１３の上部の幅は１．０ｍｍないし１．５ｍｍであり、桟１３の上部の面と断面が台形をなす辺の延長とのなす角度は９５°である。
【００２６】
桟１３のランプハウス１１底部への固定は、例えば、その底部を前記ランプハウスの底部に接着材あるいはビスで固定し、また、桟１３の上面は透明接着材あるいは透光性を有する両面接着テープで前記拡散板およびレンズシートの積層体を固定している。
【００２７】
なお、拡散シートやレンズシート等の各種シートを用いず、１枚のアクリル板の表面を加工して拡散性や指向性を持たせる構造の光学部材についても種々検討されているが、本発明はかかる光学部材を使用した液晶表示装置にも適用し得るものである。
【００２８】
【発明の効果】
以上、詳細に説明したように、本発明にかかる液晶表示装置によれば、複数の線状の蛍光ランプを並列配置したランプハウス内に、該蛍光ランプに沿って所定の位置に形成した複数本の透明な素材からなる桟を設け、この桟によって拡散板、レンズシート等の光学部材、液晶パネルを支持するように構成したため、ランプハウス内に液晶パネルを支持する支持突起を形成するものに比較して、光学部材、と液晶パネルからなる大型の積層体を少ない支持部材で効果的に支持することができ、液晶表示装置の構造を簡素化することができる。
【００２９】
また、前記桟は、その断面が、ランプハウスの底部側の幅に対して光学部材の積層体側の幅が小さくされた略台形形状を有し、その底部を前記ランプハウスの底部に接着材あるいはビスで固定し、上面は透明接着材あるいは透光性を有する両面接着テープで前記光学部材の積層体を固定したものであるから、液晶パネルＬ側より液晶パネルＬに表示される画面を観察した時に、桟１３の影が表示に濃淡として現れないようになすことができ、桟１３がアクリル等の透明素材からなることと相まって、桟１３の形状が観察されることがなく、表示への影響を防ぐことができる。
【図面の簡単な説明】
【図１】本発明の実施の形態にかかる液晶表示装置の構成を示す分解斜視図である。
【図２】図１の液晶表示装置を組み立てた状態における断面図である。
【図３】桟の断面図を示し、（ａ）は断面形状の一例を示す図、（ｂ）は断面形状の他の例を示す図である。
【図４】先願１の液晶表示装置を示す断面図である。
【図５】特許文献１に開示された液晶表示装置の構成を示す斜視図である。
【図６】特許文献１に開示された液晶表示装置の構成を示す断面図である。
【図７】先願２の液晶表示装置の構成を示す斜視図である。
【符号の説明】
１０・・・液晶表示装置
１１・・・ランプハウス
１２・・・蛍光ランプ
１３・・・桟
１４・・・拡散板
１５、１６、１７・・・レンズシート
Ｓ・・・光学部材シート
Ｌ・・・液晶パネル
【図１】
2004233827.tif 000003
【図２】
2004233827.tif 000004
【図３】
2004233827.tif 000005
【図４】
2004233827.tif 000006
【図５】
2004233827.tif 000007
【図６】
2004233827.tif 000008
【図７】
2004233827.tif 000009